(57)【要約】【課題】習字の練習に適した筆記具、筆記具セットを提供する。【解決手段】筆記具セット７０は、筆記具１０と収納具６０とを備えている。筆記具１０は、筆穂３０と筆記具本体４０と矯正具５０とを備えており、鉛筆２０のキャップのように鉛筆２０の先端に被せて装着され、この状態で使用される。矯正具５０は、筆記具１０の持ち方を矯正し、正しい持ち方とするために設けられ、筆記具本体４０の外周に装着される。収納具６０は、収納部６１と貯留部６３とを備えている。筆記具１０は、収納部６１に収納される。貯留部６３は、文字などを書く際に筆記具１０に付ける水を貯留するために設けられている。貯留部６３の内部には、筆均し用の傾斜面６３Ｂが設けられている。傾斜面６３Ｂは、貯留部６３に貯留される液体の液面に対して傾けられており、筆均しなどに用いることができる。【選択図】図４
2020196210.tif 000002
【特許請求の範囲】
【請求項１】
複数の筆毛が束ねられ、基端部から先端部へ向けて先細り形状に形成された筆穂と、
先端に前記筆穂の基端部が取り付けられ、当該筆記具とは別の筆記具の先端に被せて装着されるキャップ状の筆記具本体と、
前記筆記具本体の外周に装着され、当該筆記具の持ち方を矯正するための矯正具と、
を備えた筆記具。
【請求項２】
筆記具、及び、前記筆記具を収納する収納具と、からなる筆記具セットにおいて、
前記筆記具は、
複数の筆毛が束ねられ、基端部から先端部へ向けて先細り形状に形成された筆穂と、
先端に前記筆穂の基端部が取り付けられ、当該筆記具とは別の筆記具の先端に被せて装着されるキャップ状の筆記具本体と、
前記筆記具本体の外周に装着され、当該筆記具の持ち方を矯正するための矯正具と、
を備え、
前記収納具は、
前記筆記具を収納するための収納部と、
前記収納部に隣接して形成された液体貯留部と、
前記液体貯留部と一体に形成され、前記液体貯留部に貯留される液体の液面に対して傾けられた筆均し用の傾斜面と、
を備えている筆記具セット。
【発明の詳細な説明】
【技術分野】
【０００１】
本発明は、筆記具、筆記具セットに関するものであり、主に水書に用いられる水書用の筆記具、筆記具セットに関するものである。
【背景技術】
【０００２】
毛筆（筆。記具）は、墨を付けて文字などを書くことに用いられる。また、毛筆は、墨の代わりに水を付けて文字などを書く、水書にも用いられる。水書では、水を付けることで発色する水書用シートなどを用い、この手書用シートに水を付けた毛筆で文字を書くことにより習字の練習を行うことができる。
【０００３】
近年、毛筆の利用を促進するために各種の工夫がなされている。例えば、下記特許文献１には、指先に装着して用いる毛筆型の筆記具が開示されている。この筆記具によれば、毛筆の利用が手軽になるので利用の促進に寄与できる。
【先行技術文献】
【特許文献】
【０００４】
【特許文献１】特許第４６３９３４７号公報
【発明の概要】
【発明が解決しようとする課題】
【０００５】
しかしながら、上記特許文献１記載の筆記具は、手軽な利用といった目的を達成するために指先に装着することを前提としており、習字の練習には適していないといった問題があった。
【０００６】
本発明は、上記課題を鑑みてなされたものであり、習字の練習、特に水書による習字の練習に適した筆記具、筆記具セットを提供することを目的としている。
【課題を解決するための手段】
【０００７】
上記目的を達成するため、本発明の筆記具は、
複数の筆毛が束ねられ、基端部から先端部へ向けて先細り形状に形成された筆穂と、
先端に前記筆穂の基端部が取り付けられ、当該筆記具とは別の筆記具の先端に被せて装着されるキャップ状の筆記具本体と、
前記筆記具本体の外周に装着され、当該筆記具の持ち方を矯正するための矯正具と、
を備えている。
【０００８】
また、上記目的を達成するため、本発明の筆記具セットは、
筆記具、及び、前記筆記具を収納する収納具と、からなる筆記具セットにおいて、
前記筆記具は、
複数の筆毛が束ねられ、基端部から先端部へ向けて先細り形状に形成された筆穂と、
先端に前記筆穂の基端部が取り付けられ、当該筆記具とは別の筆記具の先端に被せて装着されるキャップ状の筆記具本体と、
前記筆記具本体の外周に装着され、当該筆記具の持ち方を矯正するための矯正具と、
を備え、
前記収納具は、
前記筆記具を収納するための収納部と、
前記収納部に隣接して形成された液体貯留部と、
前記液体貯留部と一体に形成され、前記液体貯留部に貯留される液体の液面に対して傾けられた筆均し用の傾斜面と、
を備えている。
【発明の効果】
【０００９】
本発明によれば、習字の練習、特に水書による習字の練習に適した筆記具、筆記具セットを提供することができる。
【図面の簡単な説明】
【００１０】
【図１】筆記具から鉛筆を分離した状態を示す平面図である。
【図２】筆記具から鉛筆を装着した状態を示す平面図である。
【図３】筆記具の分解図である。
【図４】収納具から筆記具を取り出した状態を示す平面図である。
【図５】収納具に筆記具を収納した状態を示す平面図である。
【図６】収納具の平面図及び断面図である。
【発明を実施するための形態】
【００１１】
図１、図２に示すように、本発明の筆記具１０は、主に水書に用いられるものであり、直径（軸径）が７ｍｍ〜８ｍｍ程度の鉛筆２０（当該筆記具１０とは別の筆記具）の先端に取り付けて用いられる。なお、本例では、筆記具１０を鉛筆２０の先端に取り付けて用いる例で説明を行うが、筆記具１０を鉛筆２０以外の筆記具の先端に取り付けて用いる構成としてもよい。
【００１２】
図３に示すように、筆記具１０は、筆穂３０と、筆記具本体４０と、矯正具５０と、を備えている。なお、図３は、筆穂３０及び筆記具本体４０から、矯正具５０を分離した状態を示しており、同図（Ａ）は、筆穂３０及び筆記具本体４０を示し、同図（Ｂ）、同図（Ｃ）は、矯正具５０を示している。また、図３（Ｃ）は、矯正具５０を、同図（Ｂ）の状態から軸周り（筆記具１０に装着される鉛筆２０の軸周り）に６０度回転させた状態を示している。
【００１３】
筆穂３０は、複数の筆毛が束ねられたものであり、基端部から先端部へ向けてデーパー状の先細り形状に形成されている。
【００１４】
筆記具本体４０は、例えば、アルミニウムを筒状に形成したものであり、先端側の開口部には筆穂３０の基端部が取り付けられて保持されている。他方、筆記具本体４０の後端側の開口部は露呈され、この開口部から鉛筆２０が筆記具本体４０の内側に挿入（装着）されて保持される。このように、筆記具本体４０（筆記具１０）は、鉛筆２０のキャップのように、鉛筆２０の先端に被せて装着され、この状態で使用される。
【００１５】
筆記具本体４０の後端側の開口部には、円環状の返し４１が設けられている。この返し４１により、筆記具本体４０の後端側の開口部から鋭利な部分を無くし、手指の怪我などを防止できる。
【００１６】
筆記具本体４０の側面には、筆記具本体４０の長手方向（鉛筆２０が挿入される方向）に長いスリット状の切り欠き４３が形成されている。この切り欠き４３により、筆記具本体４０の内径の拡張が容易となり、鉛筆２０の軸径の違いを吸収できる。すなわち、想定よりも軸径の太い鉛筆２０であっても切り欠き４３が拡張することで筆記具本体４０（筆記具１０）に装着できる。
【００１７】
また、筆記具本体４０には、リング状のくびれ４５が形成されており、このくびれ４５の部分については内径が他の部位よりも小径化されている。このくびれ４５により、筆記具本体４０（筆記具１０）に装着された鉛筆２０をより強固に保持できる。
【００１８】
矯正具５０は、筆記具１０の持ち方を矯正し、正しい持ち方とするために設けられ、筆記具本体４０の外周に装着される。矯正具５０は、例えば、シリコンなどの柔軟な（弾力性のある）材料を用い、外観が略三角柱形状に形成されている。より具体的には、矯正具５０は、三角柱の３つの角を面取りしてなだらかな曲面とした形状に形成され、さらに、先端部（筆穂３０側）が先細り形状に形成されている。使用者（筆記具１０を用いて文字などを書く者）は、矯正具５０の３つの側面に親指、人差し指、中指の先端部をそれぞれ当接させるようにして筆記具１０を持つことにより、正しい持ち方で筆記具１０を持って文字などを書くことができる。
【００１９】
また、筆記具は指の先端部だけでなく、例えば、人差し指の付け根部分などに当接させることで安定した状態で持つことができる。しかし、筆記具の長さが足りないとこのようなこと（人差し指の付け根に当接させるなど）ができない。これに対し、本発明の筆記具１０は、鉛筆２０の先端に装着して用いるので、長さが足りずに安定して持つことができないといったことがない。さらに、本発明の筆記具１０は、鉛筆２０の先端から取り外して保管（収納）できるので、保管（収納）時に嵩張ることもない。
【００２０】
図４、図５、図６に示すように、本発明の筆記具１０は、筆記具１０を収納するための収納具６０と共に筆記具セット７０を構成する。なお、図４は、筆記具１０を収納具６０から取り出した状態を示し、図５は、筆記具１０を収納具６０に収納した状態を示している。また、図６（Ａ）は収納具６０の平面図であり、同図（Ｂ）は収納具６０を同図（Ａ）にＸ−ｘで示す線分で切断した断面図であり、同図（Ｃ）は収納具６０を同図（Ａ）にＹ−ｙで示す線分で切断した断面図であり、同図（Ｄ）は収納具６０を同図（Ａ）にＺ−ｚで示す線分で切断した断面図である。
【００２１】
収納具６０は、収納部６１と、貯留部６３（液体貯留部）と、を備えており、これらが、例えば、シリコンなどの柔軟な（弾力性のある）材料から一体に形成されている。収納部６１は、長方形状の開口６１Ａを有する箱型に形成されている。筆記具１０は、長手方向（装着される鉛筆２０の軸と一致する方向）を開口６１Ａの長手方向と一致させた寝姿勢で開口６１Ａを介して収納部６１に収納される。
【００２２】
収納部６１には、開口６１Ａの近傍に一対の抑え部６１Ｂが設けられている。抑え部６１Ｂは、開口６１Ａの幅方向（長手方向とは垂直な方向）で対向するように収納部６１の内側壁に立設され、収納部６１の内側へ向けて突出している。筆記具１０は、抑え部６１Ｂ同士の距離が離れるように収納部６１を変形させて押し広げることにより収納部６１に収納され、収納された後は抑え部６１Ｂにより抑えられて収納部６１からの脱落が阻止される。
【００２３】
貯留部６３は、文字などを書く際に筆記具１０に付ける液体を貯留するために設けられており、水書を想定している本例においては、貯留部６３には液体として水が貯留される。貯留部６３は、収納部６１と同様に、長方形状の開口６３Ａを有する箱型に形成されており、収納部６１に隣接して設けられている。このような貯留部６３を筆記具１０の収納具６０に設けることにより、貯留部を別途用意する場合と比較して、習字（水書）の練習が容易となる。
【００２４】
貯留部６３の内部には、筆均し用の傾斜面６３Ｂが設けられている。傾斜面６３Ｂは、貯留部６３に貯留される液体の液面に対して傾けられており、筆を均したり、筆に含ませる水の量などを調整するためなどに用いることができる。このような傾斜面６３Ｂを筆記具１０の収納具６０に設けることにより、習字（水書）の練習の際に便利である。また、前述のように筆記具１０が小型であるため、収納具６０も小型となり保管時などに嵩張ることがない。
【００２５】
なお、本発明は上記実施形態に限定されず、細部の構成については適宜変更できる。例えば、上記実施形態では、矯正具が三角柱形状である例で説明をしたが、三角柱とは異なる形状としてもよい。また、上記実施形態では、収納部と貯留部とを幅方向で隣接させて設ける例で説明をしたが、収納部と貯留部とを長手方向で隣接させて設けてもよい。
【符号の説明】
【００２６】
１０  筆記具
２０  鉛筆
３０  筆穂
４０  筆記具本体
４１  返し
４３  切り欠き
４５  くびれ
５０  矯正具
６０  収納具
６１  収納部
６１Ａ、６３Ａ  開口
６１Ｂ  抑え部
６３Ｂ  傾斜面
６３  貯留部（液体貯留部）
７０  筆記具セット
【図１】
2020196210.tif 000003
【図２】
2020196210.tif 000004
【図３】
2020196210.tif 000005
【図４】
2020196210.tif 000006
【図５】
2020196210.tif 000007
【図６】
2020196210.tif 000008